(57)【要約】【課題】回転中にディスクが破損した場合であっても、破損したディスクの破片がディスクの挿入口からディスク装置の外部に飛散することのないスロットイン方式のディスク装置を提供する。【解決手段】ディスク２０の挿入口を開閉するように設けられたドア１１と、ドア１１を開閉するドア開閉部と、を備えたスロットイン方式のディスク装置１であって、ディスク２０の収容動作時及び排出動作時にはドア１１は開いており、ディスク２０の回転時にはドア１１は閉じている。【選択図】図１
2006099873.tif 000002
【特許請求の範囲】
【請求項１】
ディスクをスロットイン方式により収容するディスク装置であって、
前記ディスクの挿入口を開閉するように設けられたドアと、
前記ドアを開閉するドア開閉部と、を備え、
前記ディスクの収容動作時及び排出動作時には前記ドアは開いており、
前記ディスクの回転時には前記ドアは閉じている、ディスク装置。
【請求項２】
前記ドアは、前記挿入口の内側に設けられている、請求項１記載のディスク装置。
【請求項３】
前記ディスクが収容されていない場合に、前記ドアは開いている、請求項１または２記載のディスク装置。
【請求項４】
前記ディスクが収容されていない場合に、前記ドアは閉じている、請求項１または２記載のディスク装置。
【請求項５】
前記ドアは、当該ドアが閉じられた状態において、前記挿入口を遮断する、請求項１から４のいずれか記載のディスク装置。
【請求項６】
前記ドアは、略矩形の板状部材を有し、
前記板状部材は、前記ドアが閉じられた状態において、前記挿入口を遮断する、請求項５記載のディスク装置。
【請求項７】
前記ドアは、
前記板状部材と、
一端に前記板状部材が設けられ、回動可能に軸支されている回動部と、
前記回動部の前記板状部材と対向する一端に設けられた、前記ディスクの収容動作時及び排出動作時に前記ディスクを移送可能に支持するローラと、を備え、
前記ドア開閉部は、前記回動部を回動することにより前記ドアを開閉し、
前記ドアが開いている場合には、前記ローラが前記ディスクを支持可能な状態となり、前記ドアが閉じている場合には、前記ローラが前記ディスクを支持していない、請求項６記載のディスク装置。
【発明の詳細な説明】
【技術分野】
【０００１】
本発明は、ディスク装置に関し、特にスロットイン方式のディスク装置に関する。
【背景技術】
【０００２】
従来、スロットイン方式のディスク装置では、ディスク装置にディスクが収容されている状態において他のディスクの挿入を防止するため、ディスクが収容されている場合には、ディスクの挿入口の一部にストッパを突出させる技術が開発されている（例えば、特許文献１参照）。
【０００３】
また、スロットイン方式のディスク装置において、防塵のために、ディスクが収容されていない場合には、ディスクの挿入口を閉じるドアを設けたディスク装置も開発されている（例えば、特許文献２参照）。
【特許文献１】特開２００３−１６８２５４号公報（第１頁、第１図等）
【特許文献２】特開平１１−１６２０６６号公報（第１頁、第１図等）
【発明の開示】
【発明が解決しようとする課題】
【０００４】
近年、ディスク装置において、データの読み出しや書き込みを高速に行うことが要求されてきており、それに伴って、ディスクの回転速度が高速化してきている。そのようなディスクの高速回転時には、ディスク装置内部において、ディスクが割れることもある。スロットイン方式のディスク装置において、高速回転時のディスクの破損が発生した場合には、遠心力によってディスクの挿入口から破損したディスクの破片が飛散することになり、危険であるという問題がある。特に、ディスクの低価格化に伴って粗悪なディスクが流通するようになってきており、そのようなディスクは高速回転時に破損する可能性が高いという問題もある。
【０００５】
上記特許文献１では、ディスクが収容されている状態において、ディスクの挿入口の一部にストッパが突出する構成が開示されているが、ディスクの挿入口の一部に突出したストッパによっては、破損したディスクの破片の飛散を防止することはできない。
【０００６】
また、上記特許文献２では、防塵のためにディスクの挿入口にドアが設けられているが、ディスクの収容時にはそのドアが開いている構成となっており、回転中に破損したディスクの破片の飛散を防止することはできない。
【０００７】
本発明は、上記問題点を解決するためになされたものであり、スロットイン方式のディスク装置において、回転中にディスクが破損した場合であっても、破損したディスクの破片がディスクの挿入口から飛散することのないディスク装置を提供することを目的とする。
【課題を解決するための手段】
【０００８】
上記目的を達成するため、本発明によるディスク装置は、ディスクをスロットイン方式により収容するディスク装置であって、前記ディスクの挿入口を開閉するように設けられたドアと、前記ドアを開閉するドア開閉部と、を備え、前記ディスクの収容動作時及び排出動作時には前記ドアは開いており、前記ディスクの回転時には前記ドアは閉じているものである。
【０００９】
このような構成により、スロットイン方式のディスク装置において、回転中にディスクが破損した場合であっても、破損したディスクの破片がディスクの挿入口から飛散する事態を回避することができる。その結果、ディスクの破片によって、ユーザが怪我をする事態を防止できる。
【００１０】
また、本発明によるディスク装置では、前記ドアが、前記挿入口の内側に設けられていてもよい。
このような構成により、ディスクの挿入口の外側に、その挿入口を開閉するドアを設けなくてよいため、挿入口の外側をすっきりとさせることができ、ホコリやごみなどが溜まりにくいようにすることができる。その結果、ディスク装置の内部に、ディスクの収容とともにホコリ等が引き込まれる事態を防止できうる。
【００１１】
また、本発明によるディスク装置では、前記ディスクが収容されていない場合に、前記ドアは開いていてもよい。
このような構成により、例えば、ディスクが収容された状態においてドアが閉じる構成となっている場合には、ディスクが収容されていないことを、ドアが開いていることによって確認することができ、ディスクが収容されているかどうかを、容易に知ることができる。
【００１２】
また、本発明によるディスク装置では、前記ディスクが収容されていない場合に、前記ドアは閉じていてもよい。
このような構成により、ディスクが収容されていない状態において、ホコリ等がディスク装置の内部に入ることを防止することができる。
【００１３】
また、本発明によるディスク装置では、前記ドアが、当該ドアが閉じられた状態において、前記挿入口を遮断してもよい。
このような構成により、ドアが閉じられた状態において、破損したディスクがディスク装置の内部から、挿入口を介してディスク装置の外部に飛散することを防止できる。
【００１４】
また、本発明によるディスク装置では、前記ドアが、前記板状部材と、一端に前記板状部材が設けられ、回動可能に軸支されている回動部と、前記回動部の前記板状部材と対向する一端に設けられた、前記ディスクの収容動作時及び排出動作時に前記ディスクを移送可能に支持するローラと、を備え、前記ドア開閉部が、前記回動部を回動することにより前記ドアを開閉し、前記ドアが開いている場合には、前記ローラが前記ディスクを支持可能な状態となり、前記ドアが閉じている場合には、前記ローラが前記ディスクを支持していなくてもよい。
【００１５】
このような構成により、少ない構成部品によってディスク装置を構成することができる。その結果、ディスク装置のコストを低減させることができ、ディスク装置を作成する作業性を向上させることができる。
【発明の効果】
【００１６】
本発明によるディスク装置によれば、回転中にディスクが破損したとしても、破損したディスクの断片のディスクの挿入口からの飛散を防止することができる。
【発明を実施するための最良の形態】
【００１７】
（実施の形態１）
本発明の実施の形態１によるディスク装置について、図面を参照しながら説明する。
図１は、ディスクを収容していない状態におけるディスク装置の概略縦断面図である。図２は、ディスクの収容動作中におけるディスク装置のディスクの挿入口付近の概略縦断面図である。図３は、ディスクを収容した状態におけるディスク装置の概略縦断面図である。図４は、ディスクを収容していない状態におけるディスク装置の概略横断面図である。図１では、収容動作時のディスクの位置を破線で示しており、図４では、収容されたディスクの位置を破線で示している。
【００１８】
本実施の形態によるディスク装置１は、ディスク装置１の前面板４に設けられたディスク２０の挿入口５から挿入されたディスク２０をスロットイン方式により収容する。すなわち、挿入口５からディスク２０のみが挿入、あるいは排出される。このディスク２０は、一般にＣＤ−ＲＯＭや、ＣＤ−Ｒ、ＤＶＤ−ＲＯＭ、ＤＶＤ−ＲＡＭなどの光ディスクであるが、ディスク状のデータ記録媒体であれば、その種類を問わない。また、ディスク装置１は、ディスク２０からデータを読み出すものであってもよく、ディスク２０にデータを記録するものであってもよく、その両者を行うものであってもよい。
【００１９】
ディスク装置１は、ディスクの挿入口５を開閉するように設けられたドア１１を備える。ドア１１は、挿入口５の内側に設けられており、ドア１１が閉じた状態において挿入口５を遮断する略矩形の板状部材１２と、回転軸１４によってディスク装置１の筐体に対して回動可能に軸支されている回動部１３と、ディスクの収容動作時及び排出動作時に、ディスクを移送可能に支持するローラ１５とを有する。板状部材１２は、回動部１３の一端に設けられ、ローラ１５は、回動部１３の他端（すなわち、板状部材１２と対向する一端）に設けられており、例えば、ゴムや弾性樹脂等の材料で形成される。
【００２０】
ディスク２０の収容動作時及び排出動作時（すなわち、ディスク２０のローディング時及びイジェクト時）には、ドア１１は開いており、ディスク装置１にディスク２０が収容された状態では、ドア１１は閉じている。また、ディスク２０が収容されていない場合には、ドア１１は開いている。したがって、ディスク装置１を操作するユーザは、ドア１１が開いているかどうかを確認することにより、ディスク２０がディスク装置１に収容された状態であるかどうかを容易に知ることができる。ドア１１は、ドア開閉部によって開閉される。このドア開閉部によるドア１１の開閉動作の詳細については、後述する。
【００２１】
ドア１１のローラ１５は、ドア１１が開いた状態において、スプリング等の弾性部材によって、上面板３の下方に設けられたディスクガイド１６に向かって付勢されており、ディスク２０を支持可能な状態となっている。ディスク２０の収容動作時には、図２で示されるように、ディスク２０は、ローラ１５とディスクガイド下面１７とによって挟まれるようにして支持され、ディスク装置１の内部に移動されていく。このディスク２０の移動は、ローラ１５が図示しない回転手段によって回転させられることによって行われる。
【００２２】
ディスク２０がディスク装置１内に収容されると、後述するドア開閉部によって、板状部材１２が底面板２から離れる方向にドア１１が回動され、ドア１１が閉じられる。ドア１１が閉じられると、ローラ１５は、図３で示されるようにディスク２０を支持しないようになる。また、ドア１１が閉じられると、挿入口５は、板状部材１２によって遮断される。ここで、挿入口５が遮断されるとは、挿入口５の全体がふさがれていることである。すなわち、挿入口５が遮断された状態において、ディスク装置１の内部から外部に対する、破損したディスク２０の断片の挿入口５を介した飛散を防止できる。なお、ディスク２０がディスク装置１の内部に収容されると、図示しないクランパ等の機構が作動することによって、ディスク２０は、ターンテーブル１９上に圧接される。この後、スピンドルモータ１８によってディスク２０が回転され、図示しない光ピックアップ等のデータの読み出し機構及び／または記録機構によってデータの読み出し及び／または記録が行われる。
【００２３】
次に、ドア１１が開閉される動作について説明する。図５、図６は、ディスク装置１の側面に設けられたドア１１の開閉機構（ドア開閉部）について説明するための説明図である。ディスク２０がディスク装置１に収容されると、スピンドルモータ１８とは別途設けられたモータ（図示せず）によって、スライドカム２１が図５の右方向（ディスク装置１の前面板４に向かう方向）にスライドされる。すると、スライドカム２１のミゾ２４に係合するローラカム２２のピン２５がガイドされ、ローラカム２２が回転軸２７を中心として時計回りに回転される。すると、ドア１１に設けられ、ローラカム２２の角孔２８と係合するピン２６がローラカム２２の回転に伴って回転軸１４を中心に回転される。その結果、図５において、ドア１１も、スプリング２３による付勢力に抗して回転軸１４を中心に反時計回りに回転し、挿入口５が板状部材１２によって遮断されることになる（図６）。このように、本実施の形態では、ドア開閉部は、スライドカム２１、ローラカム２２、スライドカム２１をスライドさせる機構（例えば、モータやギヤなど）によって構成される。なお、ディスクの排出時にドア１１を開ける動作は、上述したドアを閉じる動作の逆であり、その説明を省略する。
【００２４】
図７は、ドアが開いた状態のディスク装置１の正面図であり、図８は、ドアが閉じた状態のディスク装置１の正面図である。図７、図８は、挿入口５を破線で示す以外、前面板４を透視した図である。
【００２５】
図７で示すように、ドア１１が開いた状態では、挿入口５からディスク２０を挿入することができるようになっている。また、図８で示すように、ドアが閉じた状態では、挿入口５が完全に遮断されており、たとえディスク装置１の内部において、ディスク２０の高速回転時（例えば、２４倍速以上など）にディスク２０が破損したとしても、その破損したディスク２０の破片が挿入口５を介してディスク装置１の外部に飛散することはない。したがって、破損したディスク２０の破片が飛散し、ユーザが怪我をする事態を回避することができる。
【００２６】
また、本実施の形態によるディスク装置１では、ドア１１をローラ１５と一体的に構成したことによって、少ない構成部品によってディスク装置１を構成することができる。その結果、ディスク装置１のコスト（原材料費、製造コスト等）を低減させることができ、ディスク装置１の製造に関する作業性を向上させることができる。
【００２７】
なお、本実施の形態では、スライドカム２１、ローラカム２２などを介してドア１１が開閉される場合について説明したが、ドア１１の開閉は、例えば、回転軸１４を中心にドア１１を回転させるモータとギヤによってなされてもよい。その場合には、ドア１１を回転させる機構（すなわち、モータとギヤ）がドア開閉部となる。このように、ドア開閉部の構成は、本実施の形態の構成に限定されるものではない。
【００２８】
（実施の形態２）
本発明の実施の形態２によるディスク装置について、図面を参照しながら説明する。本実施の形態によるディスク装置は、ドアの開閉の機構が実施の形態１と異なっている以外、実施の形態１と同様である。
【００２９】
図９は、本実施の形態によるディスク装置のディスクの挿入口付近の概略縦断面図である。本実施の形態によるドア３０は、ドア３０が閉じた状態において挿入口５を遮断する略矩形の板状部材３１と、板状部材３１に設けられたラックギヤ３２とを備える。ドア３０は、図９において上下方向に移動可能に設けられており、モータ３５と、モータ３５によって回動されるギヤ３４と、ギヤ３４の回転をラックギヤ３２に伝えるギヤ３３とを備えるドア開閉部によって開閉される。モータ３５が回転することによってドア３０が図９における下方に移動することにより、ドア３０は開けられる。一方、モータ３５が回転することによってドア３０が図９における上方に移動することにより、ドア３０は閉じられる。
【００３０】
本実施の形態においても、ディスクの収容動作時及び排出動作時にはドア３０が開いており、ディスクが収容された状態で、ドア３０が閉じている点については、実施の形態１と同様である。ディスクの収容動作や排出動作などについては、実施の形態１と同様であり、その説明を省略する。
【００３１】
このように、実施の形態１とは異なる機構によっても、実施の形態１と同様に、ディスクの回転時にはドア３０を閉じることにより、高速回転時においてディスクが破損したとしても、破損したディスクの破片が挿入口５からディスク装置の外部に飛散する事態を回避することができる。
【００３２】
（実施の形態３）
本発明の実施の形態３によるディスク装置について、図面を参照しながら説明する。本実施の形態によるディスク装置は、ドアの開閉の機構が実施の形態１と異なっている以外、実施の形態１と同様である。
【００３３】
図１０は、本実施の形態によるディスク装置のディスクの挿入口付近の概略縦断面図である。本実施の形態によるドア４０は、ドア４０が閉じた状態において挿入口５を遮断する略矩形の板状部材４１と、その板状部材４１の一端に設けられ、板状部材４１を回動可能に支持する回転軸４２とを備える。このドア４０は、図１０の実線で示される位置と、図１０の破線で示される位置との間をドア開閉部によって回動させられることによって開閉される。そのドア開閉部は、例えば、モータとギヤなどによって構成されるが、回転軸４２を中心としてドア４０を回転させることができるものであれば、その構成を問わない。
【００３４】
本実施の形態においても、ディスクの収容動作時及び排出動作時にはドア４０が開いており、ディスクが収容された状態で、ドア４０が閉じている点については、実施の形態１と同様である。ディスクの収容動作や排出動作などについては、実施の形態１と同様であり、その説明を省略する。
【００３５】
このように、実施の形態１とは異なる機構によっても、実施の形態１と同様に、ディスクの回転時にはドア４０を閉じることにより、高速回転時においてディスクが破損したとしても、破損したディスクの破片が挿入口５からディスク装置の外部に飛散する事態を回避することができる。
【００３６】
なお、上記各実施の形態において、ディスクがディスク装置に収容されていない場合に、ドアが開いている場合について説明したが、ディスクがディスク装置に収容されていない場合に、ドアは開いていてもよく、閉じていてもよい。
【００３７】
また、上記各実施の形態において、ディスクの収容動作が終了した時点でドアが閉じる場合について説明したが、ドアは、ディスクが回転するときに閉じていればよく、ディスクの収容動作が終了した時点では、ドアが開いていてもよい。また、「ディスクが回転するときに閉じている」とは、ディスクが高速回転（ディスクが破損する可能性のある程度の回転数）しているときに閉じていることであり、ディスクが低速回転（ディスクが破損する可能性がない程度の回転数）しているときには閉じていてもよく、開いていてもよい。
【００３８】
また、上記各実施の形態において、ドアを構成する板状部材は、略矩形であればよく、厳密な意味での矩形でなくてもよい。例えば、挿入口の形状等に合わせて、矩形の長辺の中央付近の幅が一番広く、長辺の両端に向けて幅が狭くなる形状でもよい。
【００３９】
また、上記各実施の形態では、ディスクの回転時に、ドアを構成する板状部材によって挿入口が遮断される場合について説明したが、ディスクの回転時に挿入口を遮断する部材は、板状のものでなくてもよく、例えば、円柱状や立方体状などの形状であってもよく、その形状は問わない。
【００４０】
また、上記各実施の形態では、モータ等の動力によってドアが開閉される場合について説明したが、ドアの開閉は、例えば、ユーザが所定のボタンやレバーを操作することによってなされてもよい。そのような場合には、ユーザによって操作されたボタンやレバーの動きを伝達することにより、ドアを開け閉めする機構がドア開閉部となる。
また、本発明は、以上の実施の形態に限定されることなく、種々の変更が可能であり、それらも本発明の範囲内に包含されるものであることは言うまでもない。
【産業上の利用可能性】
【００４１】
以上のように、本発明によるディスク装置は、ディスクの回転中にディスクの挿入口を遮断するドアを備えたものであり、スロットイン方式のディスク装置として有用である。
【図面の簡単な説明】
【００４２】
【図１】本発明の実施の形態１によるディスク装置の概略縦断面図
【図２】同実施の形態によるディスク装置のディスクの挿入口付近の概略縦断面図
【図３】同実施の形態によるディスク装置の概略縦断面図
【図４】同実施の形態によるディスク装置の概略横断面図
【図５】同実施の形態によるディスク装置の側面に設けられたドアの開閉機構について説明するための説明図
【図６】同実施の形態によるディスク装置の側面に設けられたドアの開閉機構について説明するための説明図
【図７】同実施の形態によるディスク装置の正面図
【図８】同実施の形態によるディスク装置の正面図
【図９】本発明の実施の形態２によるディスク装置のディスクの挿入口付近の概略縦断面図
【図１０】本発明の実施の形態３によるディスク装置のディスクの挿入口付近の概略縦断面図
【符号の説明】
【００４３】
１  ディスク装置
２  底面版
３  上面板
４  前面板
５  挿入口
１１、３０、４０  ドア
１２、３１、４１  板状部材
１３  回動部
１４、４２  回転軸
１５  ローラ
１６  ディスクガイド
１７  ディスクガイド下面
１８  スピンドルモータ
１９  ターンテーブル
２０  ディスク
２１  スライドカム
２２  ローラカム
２３  スプリング
３２  ラックギヤ
３３、３４  ギヤ
３５  モータ
【図１】
2006099873.tif 000003
【図２】
2006099873.tif 000004
【図３】
2006099873.tif 000005
【図４】
2006099873.tif 000006
【図５】
2006099873.tif 000007
【図６】
2006099873.tif 000008
【図７】
2006099873.tif 000009
【図８】
2006099873.tif 000010
【図９】
2006099873.tif 000011
【図１０】
2006099873.tif 000012